(57)【特許請求の範囲】
【請求項１】
線路に接続されるジャック盤と、
前記ジャック盤に対して着脱可能に接続され、前記線路に伝播する異常電圧及び異常電流を抑制するプラグと、
を備えた保安器において、
前記プラグは、
前記ジャック盤から侵入する前記異常電圧及び前記異常電流を抑制する保護素子と、
前記保護素子に接続され、正常時には前記保護素子を回路に接続し、前記保護素子が発熱する異常時には前記保護素子を前記回路から切り離す切り離し部と、
先端部を有し、前記切り離し部に連動して、前記正常時には前記先端部が第１の場所に位置し、前記異常時には前記先端部がばね力によって、前記第１の場所から離れた第２の場所へ直線状に移動する連結部材と、
前記連結部材の前記先端部が前記第１の場所に位置する時には第１の色を表示し、前記連結部材の前記先端部が前記第２の場所に移動した時には前記第１の色とは異なる第２の色を表示する表示器と、
前記第１及び第２の色の変化を外部から目視可能な表示窓とを有し、
前記表示器は、
前記連結部材の前記先端部が挿入及び離脱可能に挿入される挿入領域と、
前記挿入領域の両端に対向して配置されて前記挿入領域を形成する第１及び第２の案内突起と、
前記第２の案内突起の外側に形成された前記第２の色の着色面と、
前記第１の案内突起、前記挿入領域、前記第２の案内突起、及び前記着色面を覆うように掛け渡され、前記挿入領域に前記先端部が挿入されると前記挿入領域内に押し込まれて、前記着色面を露出させる前記第１の色の表示用テープと、
を有することを特徴とする保安器。
【請求項２】
前記切り離し部は、
前記ジャック盤の接地端子側に接続された円筒部を有する切り離しジャックと、
前記保護素子側に接続され、前記円筒部内に挿入及び離脱可能に嵌入される円柱部を有する切り離しプラグと、
前記円筒部と前記円柱部との接合個所を固定し、加熱によって溶融する接合材と、
を備えたことを特徴とする請求項１記載の保安器。
【請求項３】
前記連結部材の前記先端部は、方形の板状をなし、
前記第１及び第２の案内突起は、それぞれ方形の板状をなすことを特徴とする請求項１記載の保安器。
【請求項４】
前記線路は、電源線又は通信線であり、
前記保護素子は、単数又は複数のアレスタと、単数又は複数のバリスタと、アレスタ及びバリスタの組み合わせと、のいずれか１つであることを特徴とする請求項１記載の保安器。
【請求項５】
前記プラグは、
前記保護素子、前記切り離し部、前記連結部材、及び前記表示器を収容するプラグケースを有し、
前記プラグケースの一部には、前記表示窓が設けられ、
前記ジャック盤は、
前記プラグケースを挿入及び離脱可能に装着するためのジャックケースを有し、
前記ジャックケース内には、前記ジャック盤の回路部品が収容されていることを特徴とする請求項１記載の保安器。
【発明の詳細な説明】
【技術分野】
【０００１】
本発明は、例えば、鉄道等で使用される交流３８０Ｖ電源回路に誘起される雷、サージ等の異常電圧や異常電流から、電源機器等の被保護機器を保護するためのサージ防護デバイス（Surge  Protective  Device、以下「ＳＰＤ」という。）である電源用等の保安器に係り、特に、ＳＰＤプラグ内に設けられる保護素子の劣化表示機構に関するものである。
【背景技術】
【０００２】
従来、電源用の保安器は、例えば、下記の特許文献１、２に記載されているように、電源線及び接地線に接続される端子等を有するジャック盤と、バリスタ(varistor)等の保護素子が収納されたＳＰＤプラグとを備え、そのＳＰＤプラグがジャック盤に対して挿入及び離脱可能な構成になっている。電源線から保安器へ異常電圧や異常電流が侵入すると、保護素子によってその異常電圧や異常電流が接地線側へ放電され、電源線に接続された電源機器が保護される。
【０００３】
ＳＰＤプラグに収納された保護素子は、異常電流（即ち、インパルス電流）による動作回数の増加等に伴って特性が劣化すると、発熱して焼損することがある。そのため、保安器内に切り離し部が設けられている。切り離し部は、保護素子が劣化等によって発熱して焼損する前に、その保護素子を回路から切り離して発煙発火を防止するために設けられている。更に、ＳＰＤプラグ内には、保護素子の劣化状態を表示するための表示器が設けられている。表示器は、切り離し部の動作と連動して動作し、保護素子が回路から切り離されると、摺動（slide）機構又は揺動（to  swing）機構により着色部材が移動して着色個所の色が変化し、この色変化を表示窓から露出させる構造になっている。
【０００４】
作業者は、その色の変化を表示窓を通して外部から目視できるので、劣化したＳＰＤプラグをジャック盤から抜き取り、新しいＳＰＤプラグをジャック盤に挿入することにより、メンテナンス等を行っている。
【先行技術文献】
【特許文献】
【０００５】
【特許文献１】特開２００６−５９８８８号公報
【特許文献２】特開２００８−２８３０６５号公報
【発明の概要】
【発明が解決しようとする課題】
【０００６】
しかしながら、従来の保安器では、次のような課題があった。
保安器内に設けられる表示器は、切り離し部の動作と連動して、摺動機構又は揺動機構により着色部材を移動し、着色個所の色を変化させることにより、保護素子の劣化状態を表示する構造になっている。ところが、摺動機構又は揺動機構は、これを構成するための部品点数が多いので、構造が複雑であり、更に、大きな可動範囲が必要になるので、保安器の小型化が難しいという課題があった。又、保安器の小型化を図ろうとすると、表示器の表示部分を大きくできないので、着色個所の色の変化を外部から目視しづらいという課題があった。
【０００７】
本発明は、このような従来の課題を解決し、切り離し部の動作と連動して動作する表示器の構造を簡単にして、保安器を小型化でき、しかも、表示器の表示部分を大きくして外部からの目視を容易にできる保安器を提供することを目的とする。
【課題を解決するための手段】
【０００８】
本発明の保安器は、線路に接続されるジャック盤と、前記ジャック盤に対して着脱（attach  and  detach）可能に接続され、前記線路に伝播する異常電圧及び異常電流を抑制するプラグと、を備えている。
【０００９】
ここで、前記プラグは、前記ジャック盤から侵入する前記異常電圧及び前記異常電流を抑制する保護素子と、前記保護素子に接続され、正常時には前記保護素子を回路に接続し、前記保護素子が発熱する異常時には前記保護素子を前記回路から切り離す切り離し部と、先端部を有し、前記切り離し部に連動して、前記正常時には前記先端部が第１の場所に位置し、前記異常時には前記先端部がばね力によって、前記第１の場所から離れた第２の場所へ直線状に移動する連結部材と、前記連結部材の前記先端部が前記第１の場所に位置する時には第１の色を表示し、前記連結部材の前記先端部が前記第２の場所に移動した時には前記第１の色とは異なる第２の色を表示する表示器と、前記第１及び第２の色の変化を外部から目視可能な表示窓とを有している。
【００１０】
前記表示器は、前記連結部材の前記先端部が挿入及び離脱可能に挿入される挿入領域と、前記挿入領域の両端に対向して配置されて前記挿入領域を形成する第１及び第２の案内突起と、前記第２の案内突起の外側に形成された前記第２の色の着色面と、前記第１の案内突起、前記挿入領域、前記第２の案内突起、及び前記着色面を覆うように掛け渡され、前記挿入領域に前記先端部が挿入されると前記挿入領域内に押し込まれて、前記着色面を露出させる前記第１の色の表示用テープと、を有している。
【発明の効果】
【００１１】
本発明の保安器によれば、切り離し部の動作に連動して、ばね力により連結部材の先端部が直線状に移動し、第１及び第２の案内突起により形成される挿入領域内に、表示用テープを押し込む構成になっている。そのため、切り離し部の動作と連動して動作する表示器の構造が簡単であり、保安器を小型化できる。しかも、連結部材の先端部における移動距離に対して、表示用テープが例えば２倍の距離だけ移動し、この表示用テープにより覆われていた着色面が露出する構成になっている。そのため、連結部材の先端部における小さな移動距離に対して、着色面を覆っている表示用テープを大きく移動させることができるので、表示器の表示部分を大きくすることが可能になり、外部からの目視を容易にできる。
【図面の簡単な説明】
【００１２】
【図１】図１は本発明の実施例１における保安器の全体の外観を示す斜視図である。
【図２】図２は図１の保安器１においてジャック盤１０とＳＰＤプラグ４０との分離状態を示す斜視図である。
【図３】図３は図２中のＳＰＤプラグ４０を底面から見た斜視図である。
【図４Ａ】図４Ａは図１の保安器１の正面図である。
【図４Ｂ】図４Ｂは図１の保安器１の平面図である。
【図４Ｃ】図４Ｃは図１の保安器１の左側面図である。
【図４Ｄ】図４Ｄは図１の保安器１の右側面図である。
【図４Ｅ】図４Ｅは図１の保安器１の底面図である。
【図５Ａ】図５Ａは図４Ａの保安器１の縦断面図である。
【図５Ｂ】図５Ｂは図４Ｂの保安器１の横断面図である。
【図５Ｃ】図５Ｃは図４Ｄの保安器１の縦断面図である。
【図５Ｄ】図５Ｄは図４Ａの保安器１の背面から見た縦断面図である。
【図６Ａ】図６Ａは図２中のジャック盤１０の正面図である。
【図６Ｂ】図６Ｂは図２中のジャック盤１０の平面図である。
【図６Ｃ】図６Ｃは図２中のジャック盤１０の左側面図である。
【図６Ｄ】図６Ｄは図２中のジャック盤１０の右側面図である。
【図６Ｅ】図６Ｅは図２中のジャック盤１０の底面図である。
【図７Ａ】図７Ａは図２中のＳＰＤプラグ４０の正面図である。
【図７Ｂ】図７Ｂは図２中のＳＰＤプラグ４０の平面図である。
【図７Ｃ】図７Ｃは図２中のＳＰＤプラグ４０の左側面図である。
【図７Ｄ】図７Ｄは図２中のＳＰＤプラグ４０の右側面図である。
【図７Ｅ】図７Ｅは図２中のＳＰＤプラグ４０の底面図である。
【図８Ａ】図８Ａは図７ＡのＳＰＤプラグにおける正常時の内部構造の一部を省略した斜視図である。
【図８Ｂ】図８Ｂは図７ＡのＳＰＤプラグにおける異常時の内部構造の一部を省略した斜視図である。
【図９Ａ】図９Ａは図８ＡのＳＰＤプラグにおける正常時の内部構造の一部を省略及び切断した斜視図である。
【図９Ｂ】図９Ｂは図８ＢのＳＰＤプラグにおける異常時の内部構造の一部を省略及び切断した斜視図である。
【図１０】図１０は図９Ａ中の切り離し部を示す斜視図である。
【図１１Ａ】図１１Ａは図９Ａ中の表示器における正常時の内部構造を示す斜視図である。
【図１１Ｂ】図１１Ｂは図９Ｂ中の表示器における異常時の内部構造を示す斜視図である。
【図１２】図１２は図１の保安器１の回路図である。
【図１３】図１３は図１２の保安器１の使用例を示す概略の回路図である。
【発明を実施するための形態】
【００１３】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１４】
（実施例１の構成）
図１は、本発明の実施例１における保安器の全体の外観を示す斜視図である。更に、図２は、図１の保安器１においてジャック盤１０とＳＰＤプラグ４０との分離状態を示す斜視図である。
【００１５】
この保安器１は、線路（例えば、電源線）に侵入する雷、サージ等の異常電圧や異常電流を抑制して電源機器等の被保護機器を保護するための電源用保安器であり、ジャック盤１０と、プラグ（例えば、ＳＰＤプラグ）４０とを備え、図２中の矢印で示すように、そのＳＰＤプラグ４０がジャック盤１０に対して挿入及び離脱可能に挿着される構造になっている。
【００１６】
図３は、図２中のＳＰＤプラグ４０を底面から見た斜視図である。図４Ａ〜図４Ｅは、図１に示す保安器１の５面図である。図４Ａ〜図４Ｅの５面図の内、図４Ａは保安器１の正面図、図４Ｂは保安器１の平面図、図４Ｃは保安器１の左側面図、図４Ｄは保安器１の右側面図、及び、図４Ｅは保安器１の底面図である。
【００１７】
図５Ａ〜図５Ｄは、図４Ａ〜図４Ｅの保安器１の断面を示す４面図である。図５Ａ〜図５Ｄの４面図の内、図５Ａは図４Ａの保安器１の縦断面図、図５Ｂは図４Ｂの保安器１の横断面図、図５Ｃは図４Ｄの保安器１の縦断面図、及び、図５Ｄは図４Ａの保安器１の背面から見た縦断面図である。
【００１８】
図６Ａ〜図６Ｅは、図２中に示すジャック盤１０の５面図である。図６Ａ〜図６Ｅの５面図の内、図６Ａはジャック盤１０の正面図、図６Ｂはジャック盤１０の平面図、図６Ｃはジャック盤１０の左側面図、図６Ｄはジャック盤１０の右側面図、及び、図６Ｅはジャック盤１０の底面図である。
【００１９】
更に、図７Ａ〜図７Ｅは、図２中のＳＰＤプラグ４０の５面図である。図７Ａ〜図７Ｅの５面図の内、図７ＡはＳＰＤプラグ４０の正面図、図７ＢはＳＰＤプラグ４０の平面図、図７ＣはＳＰＤプラグ４０の左側面図、図７ＤはＳＰＤプラグ４０の右側面図、及び、図７ＥはＳＰＤプラグ４０の底面図である。
【００２０】
図２、図４Ａ〜図４Ｅ、及び図６Ａ〜図６Ｅに示すように、ジャック盤１０は、ＳＰＤプラグ４０を挿入及び離脱可能に収容するためのプラグ収容部２０ａを有するジャックケース２０を有している。ジャックケース２０は、略箱形の基台部２１と、この基台部２１の両側面から上方向に延設された一対の側壁部２２−１，２２−２とにより構成されている。これらの基台部２１及び側壁部２２−１，２２−２により囲まれた領域により、プラグ収容部２０ａが形成されている。図６Ａ及び図６Ｅに示すように、基台部２１の底面には、固定爪２３とレールストッパである移動爪２４とが一定距離離れて対向して設けられている。移動爪２４は、図示しないばねにより、固定爪２３の方向へ付勢（to  be  spring  biased）されている。これらの固定爪２３と移動爪２４とにより、例えば、図示しないＤＩＮレールを挟持し、そのＤＩＮレールに対してジャック盤１０を取り外し可能に固定する構造になっている。ＤＩＮレールとは、ＤＩＮ規格で定められた例えば３５ｍｍ幅の機器取り付け金具である。
【００２１】
図６Ｃに示すように、一方の側壁部２２−１の外側面には、例えば４つのケーブル導入孔２５−１１〜２５−１４が設けられている。図６Ｂに示すように、一方の側壁部２２−１の上面には、２つの螺子用開口孔２６−１１，２６−１２が形成されている。各螺子用開口孔２６−１１，２６−１２内には、端子螺子２７−１１，２７−１２がそれぞれ取り付けられている。ケーブル導入孔２５−１１又は２５−１２に挿入された図示しないケーブルの端末部は、端子螺子２７−１１により固定されるようになっている。同様に、ケーブル導入孔２５−１３又は２５−１４に挿入された図示しないケーブルの端末部は、端子螺子２７−１２により固定されるようになっている。
【００２２】
図６Ｄに示すように、他方の側壁部２２−２の外側面には、例えば４つのケーブル導入孔２５−２１〜２５−２４が設けられている。図６Ｂに示すように、他方の側壁部２２−２の上面には、２つの螺子用開口孔２６−２１，２６−２２が形成されている。各螺子用開口孔２６−２１，２６−２２内には、端子螺子２７−２１，２７−２２がそれぞれ取り付けられている。ケーブル導入孔２５−２１又は２５−２２に挿入された図示しないケーブルの端末部は、端子螺子２７−２２により固定されるようになっている。同様に、ケーブル導入孔２５−２３又は２５−２４に挿入された図示しないケーブルの端末部は、端子螺子２７−２１により固定されるようになっている。
【００２３】
図６Ａ、図６Ｂ、図６Ｄ、図６Ｅに示すように、他方の側壁部２２−２の外側面において、ケーブル導入孔２５−２４の下方向の位置には、交換識別用端子２８が突設されている。
【００２４】
図２及び図６Ｂに示すように、プラグ収容部２０ａの一方の側面（即ち、一方の側壁部２２−１の内側面）において、中央の上部の位置には、第１の係合部（例えば、係合凸部）２９−１が突設されている。係合凸部２９−１の両側には、縦方向に延びる断面凸状の案内レール３０−１１，３０−１２が突設されている。同様に、プラグ収容部２０ａの他方の側面（即ち、他方の側壁部２２−２の内側面）において、中央の上部の位置には、第１の係合部（例えば、係合凸部）２９−２が突設されている。係合凸部２９−２の一方の側には、縦方向に延びる断面凸状の案内レール３０−２１が突設されている。
【００２５】
プラグ収容部２０ａの底面（即ち、基台部２１の上面）には、２つの円形のジャックコンタクト用挿入孔３１−１，３１−２が一定距離離れて対向して形成されている。各挿入孔３１−１，３１−２内には、ジャックコンタクト３４−１，３４−２がそれぞれ取り付けられている。各ジャックコンタクト３４−１，３４−２は、ばね性を有する図示しない円筒部を有し、ジャックケース２０内の金具に固定されている。各ジャックコンタクト３４−１，３４−２の円筒部には、長手方向に沿って図示しない複数の割溝が形成され、この割溝により、その円筒部の口径方向に対する弾力性を持たせてばね性を発揮させている。
【００２６】
基台部２１の上面の中央には、方形の切り離し連結部材用挿入孔３２が形成されている。更に、ジャックコンタクト用挿入孔３１−１及び切り離し部材用挿入孔３２の近傍には、方形の誤挿入防止用挿入孔３３が形成されている。
【００２７】
図２、図３、及び図７Ａ〜図７Ｅに示すように、ＳＰＤプラグ４０は、略立方体状のプラグケース４１を有している。プラグケース４１の上面及び４側面は閉塞され、底面に開口部４１ａが設けられている。プラグケース４１の側面の下部には、複数の嵌合孔４２が形成されている。開口部４１ａは、略方形の基板４３により閉じられている。基板４３の側面には、図示しない複数の突起部が形成され、その突起部が嵌合孔４２に嵌入することにより、基板４３が開口部４１ａに対して取り外し可能に固定されている。
【００２８】
プラグケース４１の上面には、内部回路の劣化状態を表示するための表示窓４４が形成されている。
【００２９】
図７Ｃに示すように、プラグケース４１の左側面は、ジャックケース２０における一方の側壁部２２−１の内側面に対応している。このプラグケース４１の左側面の上半部において、略Ｕ字形状の切り欠き溝４５−１が形成され、この切り欠き溝４５−１により、側面に対して略垂直方向に移動可能な弾力性を有する可動部４６−１が形成されている。可動部４６−１の下部には、第２の係合部（例えば、係合凹部）４７−１が設けられている。係合凹部４７−１は、ジャック盤１０へのＳＰＤプラグ４０の挿着時において、ジャックケース２０側の係合凸部２９−１を受け入れ、その係合凸部２９−１に対して嵌合及び離脱可能に係合するものである。
【００３０】
プラグケース４１の左側面の下半部において、中央の縦方向には案内溝４８−１が形成されている。案内溝４８−１は、ジャック盤１０へのＳＰＤプラグ４０の挿入及び離脱時において、ジャックケース２０側の係合凸部２９−１を受け入れて案内するものである。案内溝４８−１の両側には、一対の案内溝４８−１１，４８−１２が縦方向に形成されている。案内溝４８−１１，４８−１２は、ジャック盤１０へのＳＰＤプラグ４０の挿入及び離脱時において、ジャックケース２０側の案内レール３０−１１，３０−１２を受け入れて案内するものである。
【００３１】
図７Ｄに示すように、プラグケース４１の右側面は、ジャックケース２０における他方の側壁部２２−２の内側面に対応している。このプラグケース４１の右側面の上半部において、略Ｕ字形状の切り欠き溝４５−２が形成され、この切り欠き溝４５−２により、側面に対して略垂直方向に移動可能な弾力性を有する可動部４６−２が形成されている。可動部４６−２の下部には、第２の係合部（例えば、係合凹部）４７−２が設けられている。係合凹部４７−２は、ジャック盤１０へのＳＰＤプラグ４０の挿着時において、ジャックケース２０側の係合凸部２９−２を受け入れ、その係合凸部２９−２に対して嵌合及び離脱可能に係合するものである。
【００３２】
プラグケース４１の右側面の下半部において、中央の縦方向には案内溝４８−２が形成されている。案内溝４８−２は、ジャック盤１０へのＳＰＤプラグ４０の挿入及び離脱時において、ジャックケース２０側の係合凸部２９−２を受け入れて案内するものである。案内溝４８−２の片側には、案内溝４８−２１が縦方向に形成されている。案内溝４８−２１は、ジャック盤１０へのＳＰＤプラグ４０の挿入及び離脱時において、ジャックケース２０側の案内レール３０−２１を受け入れて案内するものである。
【００３３】
図３及び図７Ｅに示すように、プラグケース４１の底面の基板４３は、ジャックケース２０における基台部２１の上面に対応している。基板４３には、２つのプラグ端子４９−１，４９−２が一定距離離れて対向して突設されている。各プラグ端子４９−１，４９−２は、ジャックケース２０側の各ジャックコンタクト用挿入孔３１−１，３１−２を通して各ジャックコンタクト３４−１，３４−２に挿入されるものである。
【００３４】
各プラグ端子４９−１，４９−２は、円柱部を有し、基板４３の内側に設けられた図示しない金具に固定されている。各プラグ端子４９−１，４９−２の円柱部は、各ジャックコンタクト３４−１，３４−２の図示しない円筒部内に挿入及び離脱可能に嵌入される。
【００３５】
基板４３の中央には、方形の貫通孔５０が形成されている。貫通孔５０には、ＳＰＤプラグ４０内に取り付けられた切り離し用連結部材５１における方形の棒状をなす下端部５１ｂが突出及び後退可能に挿入されている。連結部材５１の下端部５１ｂは、ジャック盤１０へのＳＰＤプラグ４０の挿入及び離脱時において、ジャックケース２０側の切り離し連結部材用挿入孔３２に挿入されるものである。
【００３６】
プラグ端子４９−１及び貫通孔５０の近傍には、誤挿入防止片５２が突設されている。誤挿入防止片５２は、ジャック盤１０に適合するＳＰＤプラグ４０の型式毎に、異なる形状や異なる色に着色されており、ジャック盤１０への適合した型式のＳＰＤプラグ４０の挿入時において、ジャック盤１０側の誤挿入防止用挿入孔３３に嵌入されるものである。誤挿入防止片５２が挿入孔３３に挿入されて、その誤挿入防止片５２と挿入孔３３とが嵌合すれば、ジャック盤１０の型式とＳＰＤプラグ４０の型式とが適合する。これにより、型式の異なるジャック盤１０とＳＰＤプラグ４０との誤装着を防止できる構造になっている。
【００３７】
貫通孔５０の近傍には、測定用端子５３が取り付けられている。測定用端子５３は、内部回路の良否等を測定するために使用する端子である。
【００３８】
図５Ａ〜図５Ｄに示すように、ジャック盤１０におけるジャックケース２０の基台部２１内には、マイクロスイッチ等の切り替えスイッチ３５が設けられている。切り替えスイッチ３５は、ＳＰＤプラグ４０内に取り付けられた連結部材５１の下端部５１ｂにより押下されて、接点が切り替えられるスイッチである。この切り替えスイッチ３５は、交換識別用端子２８に接続されている。交換識別用端子２８は、切り替えスイッチ３５の接点における接続状態の電気信号を、外部へ送信するための端子である。
【００３９】
ジャックケース２０における一方の側壁部２２−１内には、各端子螺子２７−１１，２７−１２をねじ込むための端子金具３６−１及び締め付け金具３７−１がそれぞれ取り付けられている。同様に、ジャックケース２０における他方の側壁部２２−２内には、各端子螺子２７−２１，２７−２２をねじ込むための端子金具３６−２及び締め付け金具３７−２がそれぞれ取り付けられている。
【００４０】
図８Ａは、図７ＡのＳＰＤプラグ４０における正常時の内部構造の一部を省略した斜視図である。図８Ｂは、図７ＡのＳＰＤプラグ４０における異常時の内部構造の一部を省略した斜視図である。図９Ａは、図８ＡのＳＰＤプラグ４０における正常時の内部構造の一部を省略及び切断した斜視図である。図９Ｂは、図８ＢのＳＰＤプラグ４０における異常時の内部構造の一部を省略及び切断した斜視図である。
【００４１】
図１０は、図９Ａ中の切り離し部を示す斜視図である。図１１Ａは、図９Ａ中の表示器における正常時の内部構造を示す斜視図である。更に、図１１Ｂは、図９Ｂ中の表示器における異常時の内部構造を示す斜視図である。
【００４２】
図５Ａ〜図５Ｄ、図８Ａ、図８Ｂ、図９Ａ及び図９Ｂに示すように、ＳＰＤプラグ４０におけるプラグケース４１内には、線路（例えば、電源線）側からプラグ端子４９−１を介して侵入する雷、サージ等の異常電圧や異常電流を抑制あるいは吸収するための保護素子が設けられている。保護素子としては、例えば、避雷管である略円板状のアレスタ６０と、このアレスタ６０に対して直列に接続された略方形板状のバリスタ部６１とを有している。アレスタ６０は、プラグ端子４９−１から侵入する雷、サージ等の異常電圧や異常電流によって放電するものである。バリスタ部６１は、異常電圧や異常電流が入力されると、入出力間の抵抗値が小さくなってその入出力間が短絡状態になり、異常電圧や異常電流の消滅後は、入出力間の抵抗値が大きくなってその入出力間が絶縁状態になる素子である。アレスタ６０とバリスタ部６１との間には、切り離し部６２が接続されている。切り離し部６２は、バリスタ部６１が、劣化等によって発熱して焼損する前に、そのバリスタ部６１を回路から切り離して発煙発火を防止するために設けられている。
【００４３】
アレスタ６０の一方の電極は、接続金具６３−１を介して電源線（Ｌ／Ｎ）側のプラグ端子４９−１に接続されている。アレスタ６０の他方の電極は、接続金具６３−２を介して測定用端子５３に接続されている。バリスタ部６１の一方の電極は、スペーサ６４上に固定された端子金具６５−１を介して、切り離し部６２に接続されている。バリスタ部６１の他方の電極は、端子金具６５−２を介して接地（ＰＥ）側のプラグ端子４９−２に接続されている。
【００４４】
図５Ｄ、図８Ａ、図８Ｂ、図９Ａ、図９Ｂ及び図１０に示すように、切り離し部６２は、金属製の雌形の切り離しジャック６２−１と、図１０中の矢印で示すように、その切り離しジャック６２−１に対して挿入及び離脱可能に嵌入される金属製の雄形の切り離しプラグ６２−２とにより構成されている。切り離しジャック６２−１は、端子金具６５−１を介してバリスタ部６１に接続されている。切り離しプラグ６２−２は、図８Ｂ及び図９Ｂ中の矢印で示す方向に付勢された板ばね状の切り離し金具６６と、固定螺子６７−１とを介して、接続金具６３−２に接続されている。
【００４５】
切り離し部６２における切り離しジャック６２−１は、ばね性を有する円筒部６２−１ａと、この円筒部６２−１ａの上部側に形成された複数の割溝６２−１ｂと、その円筒部６２−１ａの下部側の内部に形成された雌ねじ６２−１ｃとにより構成されている。円筒部６２−１ａの上部側における開口個所の内側には、テーパ６２−１ｄが形成されている。複数の割溝６２−１ｂは、円筒部６２−１ａの上部側の開口個所から下部側方向へ延びる細長い溝である。この複数の割溝６２−１ｂにより、円筒部６２−１ａの上部側における口径方向に対する弾力性を持たせてばね性を発揮させている。円筒部６２−１ａの下部側は、雌ねじ６２−１ｃに螺入された固定螺子６７−２により、端子金具６５−１に固定されている。
【００４６】
切り離し部６２における切り離しプラグ６２−２は、円柱部６２−２ａと、この円柱部６２−２ａから延設されたフランジ６２−２ｂ及び雄螺子６２−２ｃとにより構成されている。円柱部６２−２ａは、円筒部６２−１ａの内径と略同一の外径を有し、その円筒部６２−１ａ内に挿入及び離脱可能に嵌入される部材である。雄螺子６２−２ｃは、フランジ６２−２ｂから延設された部材であり、切り離し金具６６の一端部に形成された貫通孔に挿入され、ナット６８によってその切り離し金具６６の一端部に固定されている。切り離し金具６６の他端部は、固定螺子６７−１により、接続金具６３−２に固定されている。
【００４７】
切り離し部６２における切り離しジャック６２−１と切り離しプラグ６２−２との接合個所は、加熱によって溶融する接合材（例えば、半田材）により固定されている。
【００４８】
切り離しプラグ６２−２は、切り離し金具６６を介して、切り離し用連結部材５１に連結されている。連結部材５１は、略細長い板状をなし、方形の板状をなす先端部（例えば、上端部）５１ａと、方形の棒状をなす下端部５１ｂと、その上端部５１ａと下端部５１ｂとの間に形成された開口部５１ｃとを有している。下端部５１ｂは、ジャック盤１０側の挿入孔３２に挿入されている。開口部５１ｃには、切り離し金具６６が貫通している。
【００４９】
この連結部材５１は、垂直方向に上下動可能に配置され、コイルばね６９によって上方向に付勢されている。劣化等によってバリスタ部６１が発熱すると、この熱が端子金具６５−１を介して、切り離しジャック６２−１と切り離しプラグ６２−２との接合個所へ伝わり、その接合個所の半田材が溶融する。半田材が溶融すると、図８Ｂ及び図９Ｂ中の矢印で示すように、コイルばね６９によって連結部材５１が押し上げられ、切り離しプラグ６２−２が切り離しジャック６２−１から抜け出す。これにより、アレスタ６０とバリスタ部６１との間が電気的に遮断され、バリスタ部６１が回路から切り離される。
【００５０】
バリスタ部６１において劣化等の異常が発生すると、連結部材５１の下端部５１ｂが上昇するので、切り替えスイッチ３５の接続状態が切り替わり、その接続状態の電気信号が、交換識別用端子２８から外部へ送信される。
【００５１】
図５Ｃ、図５Ｄ、図８Ａ、図８Ｂ、図９Ａ、図９Ｂ、図１１Ａ及び図１１Ｂに示すように、連結部材５１における上端部５１ａの真上には、表示器７０が設けられている。表示器７０は、連結部材５１の上端部５１ａが上昇すると、これに連動して表示用テープ７５が移動して着色個所の色が変化し、この色変化を表示窓４４から露出させる構造になっている。
【００５２】
即ち、表示器７０は、連結部材５１の上端部５１ａが挿入及び離脱可能に挿入される挿入領域７１と、この挿入領域７１の両端に対向して配置されてその挿入領域７１を形成する第１及び第２の案内突起７２−１，７２−２と、を有している。第１及び第２の案内突起７２−１，７２−２は、それぞれ方形の板状をなし、その第２の案内突起７２−２の外側に、第２の色（例えば、赤色）の着色面７３が形成されている。着色面７３は、プラグケース４１の上面に形成された表示窓４４から目視可能な位置に設けられている。第１の案内突起７２−１の外側には、テープ引っ掛け用の鉤形の係止部７４−１が設けられている。更に、着色面７３の外側にも、テープ引っ掛け用の鉤形の係止部７４−２が設けられている。
【００５３】
第１の案内突起７２−１、挿入領域７１、第２の案内突起７２−２、及び着色面７３には、これらを覆うように第１の色（例えば、緑色）の表示用テープ７５が掛け渡されている。テープ７５の一端は、係止部７４−１に引っ掛けられ、そのテープ７５の他端も、係止部７４−２に引っ掛けられている。そのため、テープ７５は、振動では外れない。
【００５４】
第１及び第２の案内突起７２−１，７２−２間におけるテープ７５の真下の第１の場所には、連結部材５１の上端部５１ａが位置している。図１１Ｂ中の矢印で示すように、連結部材５１の上端部５１ａが、挿入領域７１内の第２の場所へ上昇すると、テープ７５がその挿入領域７１内へ押し上げられる。すると、テープ７５の他端が係止部７４−２から外れて、図１１Ｂ中の矢印方向へ移動し、そのテープ７５が挿入領域７１内に押し込まれる。これにより、テープ７５の他端側に覆われていた着色面７３が露出し、その着色面７３を表示窓４４から目視可能になる。
【００５５】
図１２は、図１に示す保安器１の回路図である。
ジャックケース２０の基台部２１内には、切り替えスイッチ３５が設けられている。切り替えスイッチ３５は、切り離し連結部材用挿入孔３２の真下に配置され、常時閉路端子３５ａと、常時開路端子３５ｂと、共通端子３５ｃと、可動ばね片３５ｄとにより構成されている。可動ばね片３５ｄは、一端が共通端子３５ｃに接続され、他端に接点が設けられている。可動ばね片３５ｄは、連結部材５１の下端部５１ｂにより押し下げられると、他端側の接点が常時開路端子３５ｂ側の接点に接触し、連結部材５１が上昇すると、図１２中の矢印で示すように、その他端側の接点がばね力により上昇して常時閉路端子３５ａ側の接点に接触する構造になっている。この切り替えスイッチ３５は、交換識別用端子２８に接続されている。
【００５６】
交換識別用端子２８は、３つの端子２８−１〜２８−３を有し、この端子２８−１が常時開路端子３５ｂに接続され、端子２８−２が共通端子３５ｃに接続され、端子２８−３が常時閉路端子３５ａに接続されている。そのため、切り替えスイッチ３５における接続状態の電気信号を、端子２８−１〜２８−３から外部へ送信することが可能になっている。
【００５７】
プラグケース４１内には、電源線に接続されたケーブルから、ライン（Ｌ／Ｎ）側の端子螺子２７−１１，２７−１２、ジャックコンタクト３４−１、及びプラグ端子４９−１を介して侵入する雷、サージ等の異常電圧や異常電流を抑制あるいは吸収するためのアレスタ（Ａｒ）６０とバリスタ部６１とが設けられている。アレスタ６０及びバリスタ部６１は、ライン（Ｌ／Ｎ）側プラグ端子４９−１と接地（ＰＥ）側プラグ端子４９−２との間に直列に接続されている。バリスタ部６１は、例えば、２つのバリスタ（Ｖａ）６１−１，６１−２を有し、これらのバリスタ６１−１，６１−２が並列に接続されている。
【００５８】
ライン（Ｌ／Ｎ）側プラグ端子４９−１は、ジャックコンタクト３４−１及びライン（Ｌ／Ｎ）側の端子螺子２７−１１，２７−１２を介して、電源線側に接続される。接地（ＰＥ）側プラグ端子４９−２は、ジャックコンタクト３４−２及び接地（ＰＥ）側の端子螺子２７−２１，２７−２２を介して、グランドＧＮＤ側に接続される。
【００５９】
保護素子としてアレスタ６０及びバリスタ６１−１，６１−２を組み合わせて使用している理由は、次の通りである。
【００６０】
即ち、電源回路にアレスタ６０のみを使用した場合、異常電流（即ち、インパルス電流）でアレスタ６０が放電した後、そのインパルス電流消滅後も交流電流により放電が継続する続流現象が起こり、アレスタ６０の寿命が短縮したり、あるいは焼損に至ることもある。このような続流の遮断のために、アレスタ６０とバリスタ６１−１，６１−２とを直列に組み合わせている。又、バリスタ６１−１，６１−２のみを電源回路に使用した場合には、インパルス電流による動作回数の増加に伴って特性が劣化すると、漏れ電流が増加し、遂には、焼損に至ることも考えられるので、漏れ電流遮断のために、アレスタ６０をバリスタ６１−１，６１−２と直列に接続している。バリスタ６１−１，６１−２の数は、インパルス電流の大きさに応じて設定される。
【００６１】
アレスタ６０とバリスタ部６１との間には、測定用端子５３及び切り離し部６２が接続されている。切り離し部６２は、バリスタ部６１が劣化等によって発熱して焼損する前に、図１２中の矢印で示すように、そのバリスタ部６１を回路から切り離して発煙発火を防止するために設けられている。切り離し部６２は、バリスタ部６１に接続された切り離しジャック６２−１と、アレスタ６０に接続された切り離しプラグ６２−２とにより構成されている。切り離しジャック６２−１と切り離しプラグ６２−２との接合個所は、加熱によって溶融する半田材により固定されている。
【００６２】
切り離しプラグ６２−２は、切り離し用連結部材５１に連結されている。連結部材５１は、垂直方向に上下動可能に配置され、図１２中の矢印で示すように、コイルばね６９によって上方向に付勢されている。劣化等によってバリスタ部６１が発熱すると、この熱が端子金具６５−１を介して、切り離しジャック６２−１と切り離しプラグ６２−２との接合個所へ伝わり、その接合個所の半田材が溶融する。半田材が溶融すると、コイルばね６９によって連結部材５１が押し上げられ、切り離しプラグ６２−２が切り離しジャック６２−１から抜け出す。これにより、アレスタ６０とバリスタ部６１との間が電気的に遮断され、バリスタ部６１が回路から切り離される。
【００６３】
バリスタ部６１において劣化等の異常が発生すると、連結部材５１の下端部５１ｂが上昇するので、切り替えスイッチ３５の接続状態が切り替わり、その接続状態の電気信号が、交換識別用端子２８から外部へ送信される。連結部材５１の上端部５１ａの真上には、表示器７０が設けられている。
【００６４】
図１３は、図１２の保安器１の使用例を示す概略の回路図である。
例えば、接地相無しの三相３線式の交流４００Ｖ用の電源線８０−１〜８０−３に、電源機器等の被保護機器８１が接続されている。雷、サージ等の異常電圧や異常電流から被保護機器８１を保護するために、図１２に示す保安器１が３台使用されている。３台の保安器１−１〜１−３は、図示しないＤＩＮレールに取り付けられている。保安器１−１では、ライン（Ｌ／Ｎ）側の端子螺子２７−１１個所が、ケーブルを用いて電源線８０−３に接続され、接地（ＰＥ）側の端子螺子２７−２２個所が、ケーブルを用いてグランドＧＮＤに接続されている。同様に、他の保安器１−２，１−３も、電源線８０−２，８０−１とグランドＧＮＤとの間に、それぞれ接続されている。
【００６５】
（保安器の取り付け方法）
本実施例１の保安器１を図示しないＤＩＮレールに取り付ける方法を説明する。
【００６６】
図６Ａ及び図６Ｅに示すように、ジャック盤１０の底面の移動爪２４を、図示しないばねの付勢力に抗して、手で右方向へ移動させ、固定爪２３と移動爪２４との間に、ＤＩＮレールの上部を挿入する。移動爪２４から手を離せば、図示しないばねの付勢力により、移動爪２４が左方向へ移動する。これにより、固定爪２３と移動爪２４とにより、ＤＩＮレールの上部が挟持され、ジャック盤１０がＤＩＮレール上に固定される。
【００６７】
図５Ａ、図５Ｄ、図６Ｃ、図６Ｄ及び図１３に示すように、ジャック盤１０において、例えば、電源線８０−３に接続した図示しないケーブルの端末部を、ライン（Ｌ／Ｎ）側のケーブル導入孔２５−１２に挿入し、端子螺子２７−１１を締め付け金具３７−１に締め付けてそのケーブルを接続する。更に、グランドＧＮＤに接続した図示しないケーブルの端末部を、接地（ＰＥ）側のケーブル導入孔２５−２２に挿入し、端子螺子２７−２２を締め付け金具３７−２に締め付けてそのケーブルを接続する。
【００６８】
ＳＰＤプラグ４０をジャック盤１０に挿着する方法を説明する。
図２、図６Ａ、図６Ｂ、及び図７Ａ〜図７Ｅに示すように、ＳＰＤプラグ４０において、両側面の可動部４６−１，４６−２付近を手で把持し、ジャック盤１０側の案内レール３０−１１，３０−１２，３０−２１を、ＳＰＤプラグ４０側の案内溝４８−１１，４８−１２，４８−２１内に挿入し、ＳＰＤプラグ４０を押し下げる。すると、ジャック盤１０側の係合凸部２９−１，２９−２が、ＳＰＤプラグ４０側の案内溝４８−１，４８−２内を滑り、ＳＰＤプラグ４０が降下していく。ＳＰＤプラグ４０の底面が、ジャック盤１０側の基台部２１の上面まで降下すると、ＳＰＤプラグ４０側の係合凹部４７−１，４７−２内に、ジャック盤１０側の係合凸部２９−１，２９−２が嵌入される。
【００６９】
同時に、ＳＰＤプラグ４０の底面から突出しているプラグ端子４９−１，４９−２、連結部材５１の下端部５１ｂ、及び誤挿入防止片５２が、ジャック盤１０側のジャックコンタクト用挿入孔３１−１，３１−２、切り離し連結部材用挿入孔３２、及び誤挿入防止用挿入孔３３にそれぞれ挿入される。
【００７０】
プラグ端子４９−１，４９−２がジャックコンタクト用挿入孔３１−１，３１−２に挿入されると、プラグ端子４９−１，４９−２の円柱部が、挿入孔３１−１，３１−２内に取り付けられたジャックコンタクト３４−１，３４−２の円筒部内に嵌入される。これにより、プラグ端子４９−１，４９−２と、挿入孔３１−１，３１−２内に取り付けられたジャックコンタクト３４−１，３４−２とが、電気的に接続される。
【００７１】
次に、ジャック盤１０に挿着したＳＰＤプラグ４０が劣化して、新品のＳＰＤプラグ４０に取り替える場合を説明する。
【００７２】
図２、図４Ａ、図６Ａ、図６Ｂ、及び図７Ａ〜図７Ｅに示すように、ジャック盤１０に挿着されたＳＰＤプラグ４０において、両側面の可動部４６−１，４６−２を手で内側に押さえ、ジャック盤１０側の係合凸部２９−１，２９−２から、ＳＰＤプラグ４０側の係合凹部４７−１，４７−２を離脱させる。そして、ＳＰＤプラグ４０を上方へ引き抜くと、ＳＰＤプラグ４０側の案内溝４８−１，４８−２，４８−１１，４８−１２，４８−２１が、ジャック盤１０側の係合凸部２９−１，２９−２、及び案内レール３０−１１，３０−１２，３０−２１に沿って上方に移動し、ＳＰＤプラグ４０側の底面のプラグ端子４９−１，４９−２、連結部材５１の下端部５１ｂ、及び誤挿入防止片５２が、ジャック盤１０側の挿入孔３１−１，３１−２，３２，３３からそれぞれ抜け出し、ＳＰＤプラグ４０がジャック盤１０から離脱する。
【００７３】
その後、新品のＳＰＤプラグ４０をジャック盤１０へ挿入する。
【００７４】
（保安器の動作）
図１３において、例えば、電源線８０−３に雷、サージ等の異常電圧や異常電流が印加された場合、保安器１−１が動作してその異常電圧や異常電流が吸収され、被保護機器８１が異常電圧や異常電流から保護される。この保護動作を図１〜図１２に示す保安器１を参照しつつ説明する。
【００７５】
図１３の電源線８０−３に雷、サージ等の異常電圧や異常電流が印加されると、図１２に示す保安器１において、端子螺子２７−１１側からジャックコンタクト３４−１及びプラグ端子４９−１へ、その異常電圧や異常電流が侵入する。
【００７６】
図６Ｂ、７Ａ及び図７Ｅに示すように、雄側であるプラグ端子４９−１、４９−２の円柱部と、雌側であるばね性を有するジャックコンタクト３４−１，３４−２の円筒部とは、同心円上に位置し、嵌合によって電気的に接続されているので、侵入する異常電流（即ち、インパルス電流）がスムーズに流れる。
【００７７】
ジャックコンタクト３４−１及びプラグ端子４９−１を流れるインパルス電流により、接続金具６３−１を介して、アレスタ６０が放電する。更に、接続金具６３−２、切り離し金具６６、切り離し部６２、及び端子金具６５−１を介して、バリスタ部６１内のバリスタ６１−１，６１−２が導通する。そのため、そのインパルス電流が、端子金具６５−２、プラグ端子４９−２、ジャックコンタクト３４−２及び端子螺子２７−２２を経由して、グランドＧＮＤ側へ流れる。これにより、電源線８０−１〜８０−３に接続された被保護機器８１が保護される。
【００７８】
バリスタ部６１が、劣化や過大なインパルス電流等によって発熱すると、この熱が、端子金具６５−１を介して、切り離し部６２における切り離しジャック６２−１と切り離しプラグ６２−２との接合個所へ伝わり、その接合個所の半田材が溶融する。半田材が溶融すると、コイルばね６９によって連結部材５１の上端部５１ａ、開口部５１ｃ及び下端部５１ｂが上昇する。開口部５１ｃが上昇すると、この開口部５１ｃを貫通している切り離し金具６６の先端部が上昇し、この先端部にナット６８で固定された切り離しプラグ６２−２が、切り離しジャック６２−１から抜け出す。これにより、アレスタ６０とバリスタ部６１との間が電気的に遮断されて、バリスタ部６１が回路から切り離され、発煙発火が防止される。
【００７９】
連結部材５１の上端部５１ａ及び下端部５１ｂが上昇すると、この連結部材５１の下端部５１ｂに連動して、切り替えスイッチ３５の接続状態が切り替わり、この接続状態の電気信号が、交換識別用端子２８から外部へ送信される。
【００８０】
更に、図９Ａ、図９Ｂ、図１１Ａ及び図１１Ｂに示すように、連結部材５１の上端部５１ａが、低位置の第１の場所から高位置の第２の場所へ直線状に上昇すると、表示器７０内の緑色の表示用テープ７５が、第１及び第２の案内突起７２−１，７２−２間の挿入領域７１内に押し込まれる。テープ７５が挿入領域７１内に押し込まれると、そのテープ７５の他端が係止部７４−２から外れて、左横方向（即ち、図中の矢印方向）へ移動する。この際、テープ７５の他端は、連結部材５１の上端部５１ａにおける上昇移動距離に対して、２倍の距離だけ左横方向へ移動する。テープ７５の他端が左横方向へ移動すると、このテープ７５により覆われていた赤色の着色面７３が露出する。そのため、着色面７３の個所が、正常時の緑色から劣化等の異常時の赤色に変化するので、この色の変化を表示窓４４を通して目視でき、ＳＰＤプラグ４０の交換時期を知ることができる。
【００８１】
（実施例１の効果）
本実施例１の保安器１によれば、次の（１）、（２）のような効果がある。
【００８２】
（１）  保安器１が正常状態の時には、切り離し部６２において、切り離しプラグ６２−２の円柱部６２−２ａが切り離しジャック６２−１の円筒部６２−１ａ内に嵌入しているので、その円筒部６２−１ａの内壁面方向に対する力に対して強く、切り離しジャック６２−１と切り離しプラグ６２−２とが、適度な強度で嵌合している。そのため、円筒部６２−１ａと円柱部６２−２ａとの接合個所を固定している半田材は、少量で足りる。劣化等によってバリスタ部６１が発熱する異常時には、その発熱によって少量の半田材が容易に溶融するので、その発熱の検出感度が大きい。従って、劣化等によってバリスタ部６１が発熱した時には、コイルばね６９のばね力により、切り離しジャック６２−１と切り離しプラグ６２−２とを容易に分離でき、アレスタ６０とバリスタ部６１との間を遮断して、そのバリスタ部６１を回路から的確に切り離すことができる。
【００８３】
（２）  切り離しジャック６２−１と切り離しプラグ６２−２との分離に連動して、切り離し用連結部材５１の上端部５１ａが直線状に上昇し、表示器７０内の表示用テープ７５を、第１及び第２の案内突起７２−１，７２−２間の挿入領域７１に押し込む構成になっている。そのため、切り離し部６２の動作と連動して動作する表示器７０の構造が簡単であり、保安器１を小型化できる。
【００８４】
しかも、連結部材５１の上端部５１ａにおける上昇移動距離に対して、テープ７５が２倍の距離だけ左横方向へ移動し、このテープ７５により覆われていた赤色の着色面７３が露出する。これにより、連結部材５１の上端部５１ａにおける小さな上昇移動距離に対して、着色面７３を覆っているテープ７５を横方向へ大きく移動させることができるので、表示器７０の表示部分を大きくすることが可能になり、外部からの目視を容易にできる。
【００８５】
（変形例）
本発明は、上記実施例に限定されず、種々の利用形態や変形が可能である。この利用形態や変形例としては、例えば、次の（ａ）〜（ｆ）のようなものがある。
【００８６】
（ａ）  切り離し部６２における切り離しジャック６２−１及び切り離しプラグ６２−２は、図示以外の他の形状、構造に変更してもよい。切り離しジャック６２−１と切り離しプラグ６２−２との接合個所を固定する接合材は、半田材に代えて、加熱によって溶融する樹脂材等を使用してもよい。
【００８７】
（ｂ）  切り離し部６２に連動して動作する切り離し用連結部材５１を図示以外の形状、構造に変更してもよい。連結部材５１を付勢するコイルばね６９は、これに代えて、板ばね等の他のばねを使用してもよい。又、コイルばね６９あるいは他のばねは、これを省略して、切り離し金具６６のばね力を利用して連結部材５１を付勢する構造に変更してもよい。
【００８８】
（ｃ）  表示器７０は、図示以外の形状、構造に変更してもよい。
【００８９】
（ｄ）  ジャック盤１０側の係合凸部２９−１，２９−２と、これと係合するＳＰＤプラグ４０側の係合凹部４７−１，４７−２とは、他の形状や構造に変更してもよい。例えば、ジャック盤１０側に係合凹部４７−１，４７−２を設け、ＳＰＤプラグ４０側に係合凸部２９−１，２９−を設けてもよい。
【００９０】
（ｅ）  ジャック盤１０及びＳＰＤプラグ４０は、図示以外の他の形状、構造、回路構成等に変更してもよい。例えば、図１２に示す保安器１の回路において、アレスタ６０をバリスタ部６１の位置に接続し、バリスタ部６１をアレスタ６０の位置に接続してもよい。この際、プラグ端子４９−１とバリスタ部６１との間に、切り離し部６２を接続してもよい。これにより、実施例１と同様の作用、効果を奏することができる。
【００９１】
（ｆ）  実施例では、電源用の保安器１について説明したが、本発明の保安器は、通信線等の他の線路に接続された通信機器等の他の被保護機器を保護する場合にも適用できる。
【符号の説明】
【００９２】
１，１−１〜１−３      保安器
１０      ジャック盤
２０      ジャックケース
３４−１，３４−２      ジャックコンタクト
３５      切り替えスイッチ
４０      ＳＰＤプラグ
４１      プラグケース
４４      表示窓
４９−１，４９−２      プラグ端子
５１      連結部材
６０      アレスタ
６１      バリスタ部
６１−１，６１−２      バリスタ
６２      切り離し部
６２−１      切り離しジャック
６２−２      切り離しプラグ
６９      コイルばね
７０      表示器
７１      挿入領域
７２−１，７２−２      案内突起
７３      着色面
７４−１，７４−２      係止部
７５      テープ
【図１】
0005504125.tif 000002
【図２】
0005504125.tif 000003
【図３】
0005504125.tif 000004
【図４Ａ】
0005504125.tif 000005
【図４Ｂ】
0005504125.tif 000006
【図４Ｃ】
0005504125.tif 000007
【図４Ｄ】
0005504125.tif 000008
【図４Ｅ】
0005504125.tif 000009
【図５Ａ】
0005504125.tif 000010
【図５Ｂ】
0005504125.tif 000011
【図５Ｃ】
0005504125.tif 000012
【図５Ｄ】
0005504125.tif 000013
【図６Ａ】
0005504125.tif 000014
【図６Ｂ】
0005504125.tif 000015
【図６Ｃ】
0005504125.tif 000016
【図６Ｄ】
0005504125.tif 000017
【図６Ｅ】
0005504125.tif 000018
【図７Ａ】
0005504125.tif 000019
【図７Ｂ】
0005504125.tif 000020
【図７Ｃ】
0005504125.tif 000021
【図７Ｄ】
0005504125.tif 000022
【図７Ｅ】
0005504125.tif 000023
【図８Ａ】
0005504125.tif 000024
【図８Ｂ】
0005504125.tif 000025
【図９Ａ】
0005504125.tif 000026
【図９Ｂ】
0005504125.tif 000027
【図１０】
0005504125.tif 000028
【図１１Ａ】
0005504125.tif 000029
【図１１Ｂ】
0005504125.tif 000030
【図１２】
0005504125.tif 000031
【図１３】
0005504125.tif 000032